(57)【特許請求の範囲】
【請求項１】
漢字を、分解可能な意味のない記号または部首からなる１画ないし３画の視覚要素を最小単位とし、これら分解された一つの視覚要素から漢字を検索する漢字辞書において、
前記分解可能な意味のない記号または部首からなる１画ないし３画の視覚要素、漢字、またはこれらに付されたコードを指定するキーボードと、
漢字を、前記分解可能な最小単位である意味のない記号または部首からなる１画ないし３画の最小単位である視覚要素、およびこれらに付したコードからなる一覧表が記憶されている第１記憶手段と、
漢字どうしにおける前記視覚要素に類似性が少なく、一纏めにならない漢字および当該漢字に付けられたコードからなる第一の漢字一覧表が記憶されている第２記憶手段と、
前記視覚要素が類似する一纏めにした漢字および当該漢字に付けられたコードからなる第二の漢字一覧表が記憶されている第３記憶手段と、
前記第１記憶手段に記憶されている視覚要素およびこれらに付したコードからなる一覧表、前記第２記憶手段に記憶されている漢字どうしにおける前記視覚要素に類似性が少なく、一纏めにならない漢字および当該漢字に付けられたコードからなる第一の漢字一覧表、および前記第３記憶手段に記憶されている前記視覚要素が類似する一纏めにした漢字および当該漢字に付けられたコードからなる第二の漢字一覧表とを上記各記憶手段から読み出して表示する表示手段と、
前記第１記憶手段に記憶された一覧表の中から所望の視覚要素に付けられたコードが前記キーボードによって指定されることによって、前記第２記憶手段および第３記憶手段に記憶され、かつ前記指定された視覚要素に関連している第一漢字一覧表および第二漢字一覧表が前記表示手段に表示され、当該表示手段に表示された漢字または視覚要素に付されたコードから漢字を検索する検索手段と、
を有し、前記表示手段に表示された漢字に付されたコードを選択することによって当該漢字の読み、意味および／または解釈が表示されることを特徴とする漢字辞書。
【発明の詳細な説明】
【０００１】
【産業上の利用分野】
本発明は、コンピュータあるいはワードプロセッサを使用して文書作成中に、漢字の「読み」や漢字の「意味」等を速く知ることができる漢字辞書に関するものである。特に、本発明は、漢字を学び始めて間もない者、外国人等に都合が良い漢字辞書に関するものである。
【０００２】
【従来の技術】
漢字の意味を知ろうとしても、漢字を学び始めて間もない者、あるいは外国人等は、漢字の「読み」が判らなかったり、漢字の画数が数えられないために辞書が引けない。
【０００３】
たとえば、「鴿」という漢字の「読み」を知りたい場合、コンピュータあるいはワードプロセッサにおいて、入力を試みる。
この場合、正確な「読み」が判らない場合は、当てずっぽうに「とき」、「しぎ」、「ごう」、「あい」、「あう」を入力して見る。もし、「とき」と入力して「鴿」という漢字が出力されたら、「鴿」は「とき」と読むことがわかる。
しかし、実際の上記「読み」は、いずれも違うため、正しい漢字が出力されない。「鴿」の「読み」として考えられる上記のような「読み」をワードプロセッサのディスプレイ上に全部出力させてみたとすると、この間に表示された漢字の数は、約１００である。
【０００４】
次に、「読み」で検索できない漢字は、漢字の画数を数えて辞書を引くことになる。上記「鴿」の場合は、「合」の６画で辞書の「合の部」を見る。しかし、「合の部」という部首はないので、当該漢字を発見することができない。
そして、次に辞書の部首の中から「鳥の部」を検索する。総画数１７画で探すと、全部で約４９０あり、この中から「鴿」という漢字を検索するだけで時間がかかる。
「合の部」には、当該漢字を発見することができない。
そして、辞書の１１画の中から「鳥の部」を検索する。１１画は、全部で約４２０あり、この中から「鳥」という漢字を検索するだけで時間がかかる。
「鳥の部」を引いた後、上記「鴿」を検索する。検索の結果「鴿」を発見する。そして、「鴿」は、「どばと」という「読み」で、その部分に記述されている事項を読むことによってその意味が判る。
【０００５】
【発明が解決しようとする課題】
漢字を学び始めて間もない者、あるいは外国人等は、漢字の「読み」や当該漢字の「意味」を調べようとすると容易なことではない。
たとえば、部首の「木」から構成される漢字の「意味」を知るためには、約３７０個ある漢字の中から検索をしなければならない。このように多くの漢字の中から所望の１字を発見するためには、非常に労力がかかるだけでなく、見落とす危険がある。
また、前記「鴿」という漢字は、読めない場合が多く、部首の画数から検索に入る必要がある。漢和辞典と同じようにコンピュータあるいはワードプロセッサに漢字が入力されていたと仮定すると、「鴿」の場合、「合」という部首から検索に入るのか「鳥」という部首から入るのか不明である。
【０００６】
「合」という漢字の画数が６画であることは、日本の普通の漢字教育を受けた者であれば判る。しかし、低学年あるいは外国人は、「合」がなぜ部首にないか字の形状から見ただけで理解することができない。さらに、画数の多い漢字、多くの部首から構成されている複雑な漢字、あるいは特殊な漢字等の場合には、読めないだけでなく、画数を間違えて数える恐れがある。低学年あるいは外国人は、たとえば、「糸」の画数を正確に数えることすら不可能である。
また、漢字辞書を時々使用する者でも、漢字のどの部首から検索に入ったら良いかが判らず、無駄な時間をかける場合が多い。
さらに、低学年あるいは外国人は、漢字辞書が引けないため、漢字の「読み」や「意味」を知ることができない。また、コンピュータ等に複数の漢字辞書や辞典等を記憶させたい場合がある。しかし、これらを記憶するための容量は、多過ぎたり、あるいは検索時間がかかるという問題を有した。
【０００７】
本発明は、以上のような問題を解決するためのもので、検索漏れがなく、しかも検索時間の短い漢字辞書検索方式および漢字辞書を提供することを目的とする。
本発明は、漢和辞典を引くことができない低学年者あるいは日本の漢字教育を受けていない外国人でも漢字が容易に検索できる漢字辞書検索方式および漢字辞書を提供することを目的とする。
本発明は、辞書を引けない低学年あるいは外国人でも漢字を検索して「読み」を知ると共に、その「意味」、あるいは「解釈」等が記載されている辞書の位置を素早く知ることができる漢字辞書検索方式および漢字辞書を提供することを目的とする。
【０００８】
【課題を解決するための手段】
前記目的を達成するために、本発明の漢字辞書は、漢字を、分解可能な意味のない記号または部首からなる１画ないし３画の視覚要素を最小単位とし、これら分解された一つの視覚要素から漢字を検索するものであり、前記分解可能な意味のない記号または部首からなる１画ないし３画の視覚要素、漢字、またはこれらに付されたコードを指定するキーボードと、漢字を、前記分解可能な最小単位である意味のない記号または部首からなる１画ないし３画の最小単位である視覚要素、およびこれらに付したコードからなる一覧表が記憶されている第１記憶手段と、漢字どうしにおける前記視覚要素に類似性が少なく、一纏めにならない漢字および当該漢字に付けられたコードからなる第一の漢字一覧表が記憶されている第２記憶手段と、前記視覚要素が類似する一纏めにした漢字および当該漢字に付けられたコードからなる第二の漢字一覧表が記憶されている第３記憶手段と、前記第１記憶手段に記憶されている視覚要素およびこれらに付したコードからなる一覧表、前記第２記憶手段に記憶されている漢字どうしにおける前記視覚要素に類似性が少なく、一纏めにならない漢字および当該漢字に付けられたコードからなる第一の漢字一覧表、および前記第３記憶手段に記憶されている前記視覚要素が類似する一纏めにした漢字および当該漢字に付けられたコードからなる第二の漢字一覧表とを上記各記憶手段から読み出して表示する表示手段と、前記第１記憶手段に記憶された一覧表の中から所望の視覚要素に付けられたコードが前記キーボードによって指定されることによって、前記第２記憶手段および第３記憶手段に記憶され、かつ前記指定された視覚要素に関連している第一漢字一覧表および第二漢字一覧表が前記表示手段に表示され、当該表示手段に表示された漢字または視覚要素に付されたコードから漢字を検索する検索手段と、を有し、前記表示手段に表示された漢字に付されたコードを選択することによって当該漢字の読み、意味および／または解釈が表示されることを特徴とする。
【００１２】
【作用】
本出願人は、漢字を、視覚的に捉え、しかも視覚的に分解できる単位を、分解可能な意味のない記号または部首からなる１画ないし３画の視覚要素を最小単位とすることに着目したものである。また、本発明は、一つの漢字を分解した視覚要素を基に、複数通りの検索方法を備えている。そして、本発明は、どのような漢字の検索を行なっても、当該漢字の「読み」、「意味」、「解釈」を知ることができる。
すなわち、漢字は、その全体を視覚的に捉えると、漢字として意味をなさない記号部分と、漢字辞書で使用されているいわゆる部首と、意味のある漢字として分解できる最小単位との要素から構成されている。そして、本明細書では、このようにして分解された各要素を視覚要素と記載する。
漢字を分解した各視覚要素には、たとえばＪＩＳで決められたコードと異なるコードが付けられる。そして、各漢字には、視覚要素によるコードとＪＩＳコードとが一対になって付けられている。すなわち、漢字は、分解される視覚要素が複数ある場合、複数のコードが付けられていることになる。
このようなコードの付けかたをしているため、漢字は、そのどの部分に着目しても、その視覚要素によって検索される。そして、検索された漢字の表示画面には、漢字に付けられたコードと共に、漢字の「読み」、「意味」、「解釈」が記述されている。
したがって、漢字教育を受けていない者や外国人であっても、視覚要素の一つに着目することによって漢字の「読み」、「意味」、「解釈」を知ることが素早くできる。
【００１３】
（第２発明および第４発明）
視覚要素に基づいて検索された漢字は、表示手段に表示される。この表示手段の表示画面には、検索された漢字およびその「読み」と、少なくとも一つの辞書における漢字の「意味」が記載されている位置が明示されている。
たとえば、検索された漢字は、表示手段に表示されると共に、漢字の「意味」や「解釈」等が記載されている位置が表示される。
したがって、ユーザは、検索した漢字からその「意味」等が記載された辞書の頁を素早く開くことができる。
【００１４】
【実  施  例】
本発明の漢字を検索する場合の第１実施例の概略をフローチャートによって説明した後、具体的な漢字索引について説明する。
図１は本発明の漢字を検索する場合の第１実施例を説明するためのフローチャートである。
先ず、コンピュータあるいはワードプロセッサ等において、入力すべき漢字の「読み」あるいは「意味」を知りたい場合は、漢字の検索を開始するための、図示されていない漢字検索指定ボタンを押す（ステップ１１）。
図示されていないディスプレイの表示画面上には、漢字を視覚的に分割した視覚要素の一覧表が表示される（ステップ１２）。
【００１５】
ユーザは、前記ディスプレイ上の表示を見て、検索すべき漢字を視覚的に見て、分解される単位を決める。この場合の視覚要素は、漢字によっていく通りもある。たとえば、「章」という漢字であれば、漢字の一番上に付いている「、」、立つの上部であるなべぶた「亠」、立つの中間位置にある「八」、そして、文字として認識できる「十」、「立」、「音」、「早」のどれに着目しても「章」という漢字が検索できる。
たとえば、ユーザは、視覚的に漢字のどの部分に着目するかによって、検索の速度が相違する。ユーザによって、「、」のような一画から始める場合もあり、慣れた者であれば、二画ないし四画から入るのが一番検索速度は早い。
【００１６】
ユーザは、最初の視覚要素の一覧表から所望の視覚要素があるか否かを調べる（ステップ１３）。
ユーザは、最初の表示画面に着目した視覚要素がない場合、次の頁を選択する（ステップ１４）。
そして、ユーザは、前記同様に着目した視覚要素があるか否かを調べる（ステップ１５）。
ユーザは、着目した視覚要素がない場合、ステップ１４に戻り、さらに次の頁を選択して、同様な操作を繰り返す。
しかし、漢字は、視覚要素の一画ないし３画までで殆どカバーできる。
【００１７】
ステップ１３またはステップ１５において、着目した視覚要素を発見した場合、ユーザは、その視覚要素に付けられた番号を選択する（ステップ１６）。
ユーザの番号の選択によって、前記選択した視覚要素から構成される漢字のグループがディスプレイ上に表示される（ステップ１７）。
類似した漢字のグループは、前記視覚要素によって構成される漢字の内、視覚的に類似の漢字が多く一纏めにして一覧表とした方が検索に便利なグループをガイドという形で設けられている。したがって、ガイドに表示されている視覚要素の番号を選択することによって、新たな漢字一覧表がディスプレイ上に表示される。
ユーザは、これらの漢字一覧表から、検索中の漢字、または漢字の一部を構成している部首等があるか否かを調べる（ステップ１８）。
【００１８】
ユーザは、前記漢字一覧表の中から検索中の漢字、または漢字の一部を構成している部首に付けられた番号を選択する（ステップ１９）。
ユーザの前記番号の選択によって、該当する漢字およびその漢字の視覚的に類似した漢字の表示例一覧表がディスプレイ上に表示される（ステップ２０）。
漢字の表示例一覧表には、当該漢字に該当するＪＩＳコードあるいは連想コードが付されていると共に、当該漢字に対応する意味の記述が表示されている。
ステップ１８において、漢字グループに検索された漢字がなく、ガイドに検索された漢字または部首がある場合、ユーザは、その番号を選択する（ステップ２１）。そして、ステップ２０に進み、所望の漢字が検索されると共に、当該漢字の意味が表示される。
【００１９】
次に、漢字検索の具体的な操作方法を説明する。
図２は一画および二画の視覚要素がディスプレイ上に示された表示画面を説明するための図である。図３は三画の視覚要素がディスプレイ上に示された表示画面を説明するための図である。図４は視覚要素「一」から構成される漢字およびガイドがディスプレイ上に示された表示画面を説明するための図である。図５は視覚要素「、」から構成される漢字およびガイドがディスプレイ上に示された表示画面を説明するための図である。図６は視覚要素「亠」から構成される漢字およびガイドがディスプレイ上に示された表示画面を説明するための図である。図７は視覚要素「八」から構成される漢字およびガイドがディスプレイ上に示された表示画面を説明するための図である。図８は視覚要素「口」から構成される漢字およびガイドがディスプレイ上に示された表示画面を説明するための図である。図９は「日」から検索を始めた場合の「章」という漢字の表示例一覧表を説明するための図である。図１０は「立」から検索を始めた場合の「章」という漢字の表示例一覧表を説明するための図である。図１１は「音」から検索を始めた場合の「章」という漢字の表示例一覧表を説明するための図である。図１２は「十」から検索を始めた場合の「章」という漢字の表示例一覧表を説明するための図である。
【００２０】
たとえば、文書作成中に、「読み」および意味の不明な漢字が出たとする。文書作成中のユーザは、漢字の検索指定を図示されていないキーボードによって行なう。
検索指定のキーボードが押されることによって、ディスプレイ上には、図２に示す一画および二画で、漢字に意味のない記号と、部首と、これらに含まれない少なくとも意味のある漢字とが表示されている。また、次の頁を指定すると、図３に示すように同じく三画で、漢字に意味のない記号と、部首と、これらに含まれない少なくとも意味のある漢字とが表示されている。以降、次頁を選択するごとに画数の多い漢字が表示される。
これによって、ユーザは、画数から検索に入ることもできる。
【００２１】
たとえば、検索すべき漢字が「章」である場合を説明する。
「章」を視覚的に分解可能な要素に分ける。
本明細書において、漢字を視覚的に分解可能な最小単位を単に「視覚要素」と記載する。
たとえば、「章」は、「、」、「一」、「亠」、「八」、「十」、「口」、「立」、「音」、「早」の視覚要素に分解できる。
漢字の判らないユーザが「一」を視覚的に着目したとする。
上記ユーザは、漢字検索指定によって表示された図２の画面から「一」に付されている数字「０００」を入力する。
【００２２】
「０００」で指定された表示画面が図４に表示される。
図４には「一」を視覚要素として構成される漢字一覧表４１とガイド４２とが表示されている。漢字一覧表４１に表示されている漢字は、各漢字に類似性が少なく、視覚要素「一」から構成されているにもかかわらず、他の表示画面として一纏めにならないものが集められている。そして、ガイド４２には、視覚要素「一」から構成され、一纏めにできるグループが表示されている。
ユーザは、図４を見ると、「章」という漢字の視覚的要素「日」がガイド４２に表示されていることが判る。そこで、ユーザは、「日」に付されている数字「０９３」をキーボードによって入力する。
【００２３】
上記数字の入力によって、ディスプレイ上には、図９に示す漢字表示部９１と意味記述欄９２とが表示される。図９に示されている意味記述欄９２には、上段の漢字のみの意味が表示され、他の漢字の意味は省略されている。
なお、漢字表示部９１は、左側から漢字９３、視覚要素のコード９４、漢字の位置やスペース等を示すコード９５（ａないしｄは位置、ｓはスペース、ｒは右側、ｌは左側）、漢字の画数９６、ＪＩＳコード９７、ＪＩＳコードに代わる覚え易い２桁の連想コード９８からなる。メモリに記憶される視覚要素のコードとＪＩＳコード等は、ディスプレイ上に表示されない。
ユーザは、図９に示す漢字表示部９１から所望の漢字を検索する。検索すべき「章」があるため、ユーザは、ＪＩＳコード「３ｅ４ｆ」をキーボードによって入力するか、あるいは連想コード「スラ」を入力する。この入力によって、漢字「章」は、所定の位置に入力される。
以上のように、漢字の「読み」あるいは画数が判らなくとも、視覚要素によって漢字が検索されると共に、当該漢字の意味を理解することができる。
【００２４】
次に、漢字検索指定によって表示され図２の表示画面において、視覚要素として「、」を捉えた場合を説明する。
ユーザは、「、」に付されている数字「００１」を入力する。数字「００１」を入力することによって、図５に示す表示画面がディスプレイ上に表示される。
図５に示す表示画面は、漢字一覧表５１とガイド５２とから構成されている。
そして、漢字一覧表５１およびガイド５２の漢字または部首には、数字が付されている。
ユーザは、上記漢字一覧表５１およびガイド５２の中から、検索すべき漢字あるいは部首を検索する。
今、漢字「章」を検索しているから、ユーザは、ガイド５２に「立」を発見する。そして、ユーザは、「立」に付されている数字「１５７」をキーボードによって入力する。
【００２５】
上記数字の入力によって、ディスプレイ上には、図１０と同じ漢字表示部１０１と意味記述欄１０２とがディスプレイ上の表示部に表示される。
図１０に示す意味記述欄１０２は、前記同様に上段の漢字に対する意味のみがディスプレイ上に表示されている。
なお、漢字表示部１０１は、左側から漢字、視覚要素のコード、漢字の位置やスペース等を示すコード（「立」の位置が上部にある場合ｈが付され、ｓはスペース、右側に位置する場合ｒが、左側に位置する場合ｌが付される）、漢字の画数、ＪＩＳコード、ＪＩＳコードに代わる覚え易い２桁の連想コードからなる。
ユーザは、図１０に示す漢字表示部１０１における漢字を検索すると共に、検索した漢字の意味を知ることができる。検索した漢字「章」を入力したい場合、ユーザは、ＪＩＳコード「３ｅ４ｆ」をキーボードによって入力するか、あるいは連想コード「スラ」を入力する。この入力によって、漢字「章」は、所定の位置に入力される。
【００２６】
次に、漢字検索指定によって表示された図２の表示画面において、視覚要素として「亠」を捉えた場合を説明する。
ユーザは、「亠」に付されている数字「００６」を入力する。数字「００６」を入力することによって、図６に示す表示画面がディスプレイ上に表示される。
図６に示す表示画面は、漢字一覧表６１とガイド６２とから構成されている。
そして、漢字一覧表６１およびガイド６２の漢字または部首には、数字が付されている。
ユーザは、上記漢字一覧表６１およびガイド６２の中から、検索すべき漢字あるいは部首を検索する。
今、漢字「章」を検索しているから、ユーザは、ガイド６２に「立」と「音」を発見する。そして、ユーザは、たとえば「音」に付されている数字「２３７」をキーボードによって入力する。
【００２７】
上記数字の入力によって、ディスプレイ上には、図１１に示す漢字表示部１１１と意味記述欄１１２とが表示される。
なお、漢字表示部１１１は、「音」の下に「十」がついている漢字に「０１」が、「音」の下に「八」が付いている漢字に「０２」が、「音」の下に「心」が付いている漢字に「０３」が、「音」が真ん中にある漢字に「０４」がそれぞれ付いている。
その他、右付き、左付きを表す「ｒ」および「ｌ」は、前記と同様である。
ユーザは、図１１に示す漢字表示部１１１における漢字を検索すると共に、当該漢字の意味を知る。検索すべき漢字である「章」を入力したい場合、ユーザは、ＪＩＳコード「３ｅ４ｆ」をキーボードによって入力するか、あるいは連想コード「スラ」を入力する。この入力によって、漢字「章」は、所定の位置に入力される。
【００２８】
また、漢字検索指定によって表示された図２の表示画面において、視覚要素として、ユーザは、「立」を構成する中間にある「八」の部分に着目する。
そして、ユーザは、図２に示す二画の「八」に付された数字「０１１」を入力すると、図７に示す漢字一覧表７１とガイド７２とがディスプレイ上に表示される。その後、ユーザは、「立」を選択するのであれば、数字「１５７」を、「音」を選択するのであれば、数字「２３７」を入力する。これらの数字の入力によって、ユーザは、前述の図１０または図１１に示す漢字表示部および意味記述欄がディスプレイ上に表示されるから、これらの漢字表示部から「章」の意味を知ると共に、当該漢字を出力したい場合、そのコードまたは連想コードを入力する。この結果、所望の漢字は、所定位置に入力される。
【００２９】
また、ユーザは、漢字検索指定によって表示された図３の表示画面において、三画の「口」に着目し、これに付されている数字「０４０」を入力すると、図８に示す漢字一覧表８１とガイド８２とがディスプレイ上に表示される。そして、ユーザは、「日」を選択するのであれば、数字「０９３」を入力する。この数字の入力によって、ユーザは、前述の図９がディスプレイ上に表示されるから、これらの漢字表示部９１の中から「章」を検索して、その意味を知ると共に、出力したい場合、そのコードまたは連想コードを入力する。この結果、所望の漢字は、所定位置に入力される。
【００３０】
また、ユーザは、図２に示す二画の「十」に着目して数字「０２４」を入力すると、図１２に示す漢字表示部１２１および意味記述欄１２２がディスプレイ上に表示される。そして、ユーザは、この漢字表示部１２１から「章」を検索して、当該漢字の意味を知ると共に、出力したい場合は、そのコードまたは連想コードを入力する。この結果、所望の漢字は、所定位置に入力される。
以上の説明から判るように、第１実施例において、検索すべき漢字は、その視覚要素のどの部分に着目しても必ず、所望の漢字に到達して、当該漢字の「読み」および「意味」を知ると共に、出力することもできる。
【００３１】
図１３は本発明の第２実施例を説明するためのもので、検索された漢字が表示されている状態を示す図である。図１４は本発明の第２実施例で、検索された漢字からその意味等が記載された位置を示す表示例を説明するための図である。図１５は本発明の第２実施例で、検索された漢字からその意味等が記載された位置を示す他の表示例を説明するための図である。図１６は本発明の第２実施例で、検索された漢字からその意味等が記載された位置を示すさらに他の表示例を説明するための図である。
第１実施例は、「漢字」、「読み」、および「意味」等を表示手段に表示しているのに対して、第２実施例は、「漢字」および「読み」を表示手段に表示すると共に、その漢字の「意味」等が記載されている位置や場所を表示している点で相違している。
【００３２】
ユーザは、第１実施例と同様に、視覚要素を基にして、図１３に示す漢字表示部に所望の漢字、たとえば、「章」を検索する。次に、ユーザは、図１３における「章」を、たとえばクリックすることにより、図１４ないし図１６に示すような表示画面が現れる。
図１４ないし図１６において、「章」、「冊」、「薦」における下の括弧は、連想コードあるいは簡易入力コードが記載されている。たとえば、「章」における（スラ）、または（ＢＳ２０）をキーボードによって入力することにより、「章」という文字が打ち出される。なお、（スラ）、（ＢＳ２０）のような連想コード、あるいは簡易入力コード等は、各種あり、複数のコードを表示画面に記載することができる。
【００３３】
図１４ないし図１６の第２欄は、ＪＩＳコードとその漢字の「読み」が記載されている。また、第３欄および第４欄の「連番」は、たとえば、「連番１」が「角川新字源」であり、「連番２」が他の辞書である。図１４に示す「連番１」の５７３５は、「角川新字源」における５７３５番目に「章」という文字が記載されていることを意味する。さらに、「位置」の欄に記載されている「７４５−３−１」は、第３の辞書における第７４５頁の第３段目、第１番に「章」という文字が記載されていることを意味する。
ユーザは、前記検索された漢字から、図１４ないし図１６の表示画面を得た後、意味を調べたい場合、表示画面に表示されている辞書の所望の位置が直ぐに判る。そして、ユーザは、所望の辞書を開いてその「意味」等を知ることができる。
【００３４】
以上、本実施例を詳述したが、前記本実施例に限定されるものではない。そして、特許請求の範囲に記載された本発明を逸脱することがなければ、種々の設計変更を行うことが可能である。
たとえば、記憶手段、検索手段、あるいは表示手段等は、周知あるいは公知のものを使用することができる。
また、意味記述欄は、漢字の「意味」に限らず、漢字の「解釈」、「注釈」、「説明」等を含む。また、漢字に対する「意味」は、日本語によって記述した例を示したが、日本語に限定されることなく、英語を初め世界中のどの国の言葉によって記述されても良い。
また、本発明は、漢字辞書の検索だけでなく、その他の辞典、索引、ハンドブック、あるいはマニュアル等にも適用できることはいうまでもない。
また、表示手段に漢字等の「意味」が記載されている位置を示す場合、その配置関係は、実施例に限定されるものではなく、各種のテーブルが採用される。
また、第１実施例および第２実施例において、漢字辞書を例にしているが、漢字に限定されることなく、外国語の辞書であっても良いことはいうまでもない。
【００３５】
【発明の効果】
本発明によれば、漢字を部首や画数に関係なく、分解可能な意味のない記号または部首からなる１画ないし３画の最小単位である視覚要素に着目することにより、必ず所望の漢字が検索できると共に、当該漢字の「読み」、「意味」、「解釈」が判る。また、本発明のように、一つの漢字を複数通りの検索方法によって検索できるため、漢字教育を受けない者や外国人にとって好都合であるだけでなく、漢字教育を受けた者であっても検索漏れがなく、しかも検索速度が早い。
また、本発明によれば、漢字表示部に対応して記述された言語は、日本語に限定されないため、検索速度の早い辞書となる。
また、本発明によれば、検索された漢字の「読み」の他に、少なくとも一種類の辞書における「読み」、「意味」、「解釈」等が記載された辞書の位置を表示手段に明示しているため、コンピュータ等の容量を増加することなく、文字の「読み」、「意味」、「解釈」を素早く知ることができる。
【図面の簡単な説明】
【図１】本発明の漢字を検索する場合の一実施例を説明するためのフローチャートである。
【図２】一画および二画の視覚要素がディスプレイ上に示された表示画面を説明するための図である。
【図３】三画の視覚要素がディスプレイ上に示された表示画面を説明するための図である。
【図４】視覚要素「一」から構成される漢字およびガイドがディスプレイ上に示された表示画面を説明するための図である。
【図５】視覚要素「、」から構成される漢字およびガイドがディスプレイ上に示された表示画面を説明するための図である。
【図６】視覚要素「亠」から構成される漢字およびガイドがディスプレイ上に示された表示画面を説明するための図である。
【図７】視覚要素「八」から構成される漢字およびガイドがディスプレイ上に示された表示画面を説明するための図である。
【図８】視覚要素「口」から構成される漢字およびガイドがディスプレイ上に示された表示画面を説明するための図である。
【図９】「日」から検索を始めた場合の「章」という漢字の表示例一覧表を説明するための図である。
【図１０】「立」から検索を始めた場合の「章」という漢字の表示例一覧表を説明するための図である。
【図１１】「音」から検索を始めた場合の「章」という漢字の表示例一覧表を説明するための図である。
【図１２】「十」から検索を始めた場合の「章」という漢字の表示例一覧表を説明するための図である。
【図１３】  本発明の第２実施例を説明するためのもので、検索された漢字が表示されている状態を示す図である。
【図１４】本発明の第２実施例で、検索された漢字からその意味等が記載された位置を示す表示例を説明するための図である。
【図１５】本発明の第２実施例で、検索された漢字からその意味等が記載された位置を示す他の表示例を説明するための図である。
【図１６】  本発明の第２実施例で、検索された漢字からその意味等が記載された位置を示すさらに他の表示例を説明するための図である。
【符号の説明】
４１、５１、６１、７１、８１・・・漢字一覧表
４２、５２、６２、７２、８２・・・ガイド
９１、１０１、１１１、１２１・・・漢字表示部
９２、１０２、１１２、１２２・・・意味記述欄
【図１】
0003773271.tif 000002
【図２】
0003773271.tif 000003
【図３】
0003773271.tif 000004
【図４】
0003773271.tif 000005
【図５】
0003773271.tif 000006
【図６】
0003773271.tif 000007
【図７】
0003773271.tif 000008
【図８】
0003773271.tif 000009
【図９】
0003773271.tif 000010
【図１０】
0003773271.tif 000011
【図１１】
0003773271.tif 000012
【図１２】
0003773271.tif 000013
【図１３】
0003773271.tif 000014
【図１４】
0003773271.tif 000015
【図１５】
0003773271.tif 000016
【図１６】
0003773271.tif 000017